(57)【要約】      （修正有）【課題】作業が甚だ容易で身体的に楽であり、また装置のコストを大きく低減できるような、実際のニーズにマッチしたラッピング装置を提供する。【解決手段】可動キャスター１を備えた支持台２の後方において２本の柱体３ａ，３ｂを垂立させ、該柱体３ａ，３ｂの下方中間部に一次滑車４Ａを取付けると共に、その上方に該一次滑車４Ａを回転させるロープ５を巻取るハンドル６ｈ付きのロープ巻取具６を取付け、更に該支持台２上の柱体３ａ，３ｂより前方において２本の棒状スライド柱７ａ，７ｂを各平行に垂立させ、該スライド柱７ａ，７ｂを貫通させるスライド孔８ａ，８ｂと、ロール巻状のラップフィルム９を載置するターンテーブル１０及びラップフィルム支持柱１１と、より前方に垂立するラップフィルムテンションバー１２とを備えたラップフィルム設置台１３を、該スライド柱７ａ，７ｂがスライド孔８ａ，８ｂを貫通、滑動するように該ロープ５で支持する。【選択図】図１
2014091575.tif 000002
【特許請求の範囲】
【請求項１】
下端に可動キャスターを備えた支持台の後方において２本の柱体を垂立させ、該柱体の下方中間部に一次滑車を取付けると共に、その上方に該一次滑車を回転させるロープを巻取るハンドル付きのロープ巻取具を取付け、更に該支持台上の柱体より前方において２本の棒状スライド柱を各平行に垂立させ、該スライド柱を貫通させるスライド孔と、ロール巻状のラップフィルムを載置するターンテーブル及びラップフィルム支持柱と、より前方に垂立するラップフィルムテンションバーとを備えたラップフィルム設置台を、該スライド柱が該スライド孔を貫通、滑動するように該ロープで支持し、その際、該ロープは該柱体及び該スライド柱の上方部中間箇所に設けられた二次滑車に支持されると共に、該一次滑車及び該ロープ巻取具に連なるようにしたことを特徴とするラッピング装置。
【発明の詳細な説明】
【技術分野】
【０００１】この発明は、複数のダンボール入り荷物等を荷崩れ防止のためにラップフィルムで包装（ラッピング）する際に使われる装置に関する。
【背景技術】
【０００２】複数のダンボール入り荷物等を積み上げてコンテナー等に収容する際に、荷崩れしないようにそれらの胴回りをラップフィルムで巻付けて（ストレッチ）ラッピング包装することが、近時常套的に行われている。そのラップフィルムは、事実上、互いに圧着するのみで十分な粘着性と強度を発揮するものである。【０００３】現状において、その作業は全て手作業で行うか、或いは専用の自動ストレッチ包装機を用いるかのいずれかとなっており、後者の自動包装機のうち、半自動のものは、フィルムの取付けとカットを作業者が行い、あとはボタンを押して自動的に包装を完了させるものであり、全自動のものは、フォークリフト等で荷物をターンテーブル上に乗せた後にボタンを押すだけで設定した包装を自動的に完了させるものである。いずれもターンテーブルの回転によりラップフィルムの巻き付けが行われるのが基本的な特徴である。
【発明の開示】
【発明が解決しようとする課題】
【０００４】ところが、上記の如く手作業で行う場合はかなり苛酷な姿勢で力仕事を要するものであって、腰痛等の身体の障害を招来しがちであり、また自動包装機を使う場合はそれがかなり高価格であるがために、なかなか導入に踏み切れない企業が多いのが現状となっている。【０００５】本発明はかかる現状から、自動とまでいかなくても作業が甚だ容易で身体的に楽であり、また装置のコストを大きく低減できるような、実際のニーズにマッチしたラッピング装置を提供することを課題とする。
【課題を解決するための手段】
【０００６】下端に可動キャスター１を備えた支持台２の後方において２本の柱体３ａ，３ｂを垂立させ、該柱体３ａ，３ｂの下方中間部に一次滑車４Ａを取付けると共に、その上方に該一次滑車４Ａを回転させるロープ５を巻取るハンドル６ｈ付きのロープ巻取具６を取付け、更に該支持台２上の柱体３ａ，３ｂより前方において２本の棒状スライド柱７ａ，７ｂを各平行に垂立させ、該スライド柱７ａ，７ｂを貫通させるスライド孔８ａ，８ｂと、ロール巻状のラップフィルム９を載置するターンテーブル１０及びラップフィルム支持柱１１と、より前方に垂立するラップフィルムテンションバー１２とを備えたラップフィルム設置台１３を、該スライド柱７ａ，７ｂがスライド孔８ａ，８ｂを貫通、滑動するように該ロープ５で支持し、その際、該ロープ５は該柱体３ａ，３ｂ及び該スライド柱７ａ，７ｂの上方部中間箇所に設けられた二次滑車４Ｂに支持されると共に、該一次滑車４Ａ及びロープ巻取具６に連なるようにして、本発明のラッピング装置とする。【０００７】上記のように、本発明において在来の自動ストレッチ包装機とは根本的に異なっている点は、在来のものは荷物を乗せる荷台が回転するターンテーブルとなっていて、その回転力によりラップフィルムを巻き付けていくのに対し、本発明では荷物は任意の場所に置き、逆に可動キャスター付きのラッピング装置の方を荷物の周囲を回るように動かして巻き付けていくことである。【０００８】すなわち、ラップフィルムの巻き付け作業は人間の歩行により行われることになる。一方、荷物に対する巻き付け位置（高さ）の選択は、上記のハンドル６ｈの回転操作によりロープ巻取具６に連なるロープ５を動かし、それが一次滑車４Ａ及び二次滑車４Ｂを介してラップフィルム設置台１３を上下させることにより行われる。なおロープ５はチェーンの場合も含まれるものとする。【０００９】その際、支持台２に垂立固定されたスライド柱７ａ，７ｂと上下移動するラップフィルム設置台１３に設けられたスライド孔８ａ，８ｂとは互いに貫通・滑動するようになっているから、設置されたロール巻のラップフィルム９も垂立状態を保ちつつ安定的にに上下運動する。なおその垂立位置を保つためのものがラップフィルム支持柱１１であり、それを乗せる台がターンテーブル１０であるが、後者は在来の荷物を置くターンテーブルとは根本的に異なる。【００１０】なお、当該ラップフィルム設置台１３を動かして荷物にラップフィルム９を巻き付ける場合に、その向きに拘わらず十分なテンションが与えられるように設けられるのがラップフィルムテンションバー１２である。これはゴム質のものから成ることが望ましく、当該フィルムが皺になったり弛んだりするのを防ぐ働きをする。【００１１】また必要に応じ、ロール巻のラップフィルム９の上に円板状の固定重し１４を、その中心部に設けられた貫通孔に該ラップフィルム支持柱１１の頭部に差し込むようにして載置し、当該フィルムの上下がたつきを防ぐようにする。【００１２】ラップフィルム設置台１３には、スライド柱７ａ，７ｂがスライド孔８ａ，８ｂを貫通、滑動するように該ロープ５で支持されるために、あたかも椅子の背もたれのようなもの、例えば背板１５を垂立させて、その上部にロープ５の下端を取り付けるようにする。或いは背板１５に替えてパイプ枠や格子のようなものを用いてもよい。いずれにしても、それとは垂直に水平方向に伸びるラップフィルム設置台１３は、補強のために十分な厚みか２枚構造にすることが望ましい。
【発明の効果】
【００１３】本発明によれば、ダンボール入り荷物等をコンテナ等に収容・運搬する際の荷崩れを防ぐためのラッピング作業が、甚だ高コストな自動機を設置しなくても著しく容易化する。すなわち対象となる荷物は通常１〜２ｔと重量なため、自動包装機ではこれを載置し回転させるのにどうしても大動力のモーターを要するのみでなく、ストレッチフィルムの上下動は自動化しないと危険であるのでコンピュータ化が必要となるがゆえに高価となって手が出ない企業であっても、本発明の装置は約１／１０のコストで済むため採用し易く、しかも重い荷物を運んでリフトで持ち上げる必要がなく、逆に移動が極めて容易な装置の方を荷物の置き場所の近くに移し、その回りを歩行しつつ作業を遂行できるから、辛くて困難な中腰作業もなく、腰痛等を招来する憂いもないなどの効果がある。
【発明を実施するための最良の形態】
【００１４】本発明の構成は既に図面と共に具体的に述べた通りであり、実施にあたってはこれに基づき、通常の素材を用いて現場の実情に応じ任意に最良の形態に設計・製作することができる。例えば図面のような全体形状は最良の形態のひとつであるが、実際の高さは約１２０ｃｍ位が好ましく、それによって各箇所の寸法も自ずから決まる。【００１５】可動キャスター１、滑車４Ａ，４Ｂ、ロープ５、ターンテーブル１０等は、何れも既に有するものを適宜選択もしくは新規作成する。また支持台２や柱体３ａ，３ｂ、スライド柱７ａ，７ｂなどの構造材は原則として強度のある金属製とし、ラップフィルム設置台１３は上下間隔をおいた２枚の金属板もしくは１枚の厚みのある低比重の樹脂板とする。その他、ラップフィルムテンションバー１２はゴム製とする。【００１６】なお試作機を用いた実施テストによれば、ラッピング作業がすこぶる楽で姿勢等の体の負担が激減し、また作業速度も著しく向上することが確認された。
【産業上の利用可能性】
【００１９】本発明のラッピング装置は効果が大きくてニーズも高く、また製作・量産も容易であるから、産業上の利用可能性は十分にある。
【図面の簡単な説明】
【００２０】
【図１】本発明一例の見取図
【符号の説明】
【００２１】１……可動キャスター
２……支持台
３ａ，３ｂ……柱体
４Ａ……一次滑車    ４Ｂ……二次滑車
５……ロープ
６……ロープ巻取具    ６ｈ……ハンドル
７ａ，７ｂ……スライド柱
８ａ，８ｂ……スライド孔
９……ラップフィルム
１０……ターンテーブル
１１……ラップフィルム支持柱
１２……ラップフィルムテンションバー
１３……ラップフィルム設置台
１４……固定重し
１５……背板
【図１】
2014091575.tif 000003